(57)【要約】【課題】高さ調整機構を備えた手持式の芝刈機を提供する。【解決手段】本体の前部に略水平に突出したバリカン型の刃を設け、当該本体の上部に把手部を設け、当該把手部を持って使用する芝刈機において、本体１の刃２を、地面又は芝Ｂから一定の距離で浮かせるためのスライダー１１を本体１の底部から突出させた。また、前記スライダー１１は、本体１から着脱自在とし、さらに、当該スライダー１１は、本体１の底部からの突出長を調整自在であることとした。【選択図】図１
2012135255.tif 000002
【特許請求の範囲】
【請求項１】
本体の前部に略水平に突出したバリカン型の刃を設け、当該本体の上部に把手部を設け、当該把手部を持って使用する芝刈機において、
本体の刃を、地面又は芝から一定の距離で浮かせるためのスライダーを本体の底部から突出させたことを特徴とする、手持式の芝刈機。
【請求項２】
前記スライダーは、本体から着脱自在としたことを特徴とする、前記請求項１に記載の手持式の芝刈機。
【請求項３】
前記スライダーは、本体の底部からの突出長を調整自在であることを特徴とする、前記請求項１に記載の手持式の芝刈機。
【請求項４】
前記本体の底面に長手方向に開口部を設け、当該本体の開口部を設けた個所の一側面から他側面に向けて、ねじ切りされた軸を水平に渡して、その一端を側面に固定し、当該軸の他端を他側面から突出させ、当該突出した他端にナットを螺着し、当該ナットを回転させて当該本体の開口部の両側部を締め付け及び緩め自在とし、
前部は扁平で後部は後方に伸びた脚部を有し、当該脚部は前記開口部に嵌合自在なスライダーを設け、
前記開口部に前記スライダーの脚部を差し込み、前記ナットを締めて前記スライダーを保持したことを特徴とする、前記請求項３に記載の手持式の芝刈機。
【請求項５】
前記本体の開口部は、当該本体の後部に設け、
前記スライダーは、前部は左右方向に扁平で、後部は後方に伸びかつ上方に折れ曲がり、さらに、上下二股に分かれた脚部から成り、
当該脚部を前記開口部に差し込む際、当該脚部の二股に分かれた部分の間の空間に前記軸を差し入れることを特徴とした、前記請求項４に記載の手持式の芝刈機。
【請求項６】
前記スライダーの側面には複数の目盛を設けたことを特徴とする、前記請求項３、４又は５の何れかに記載の手持式の芝刈機。
【発明の詳細な説明】
【技術分野】
【０００１】
この発明は、芝刈機、特に、手軽に使用出来る手持式の芝刈機に関するものである。
【背景技術】
【０００２】
従来、芝生では定期的に芝刈りが行われている。その際には、大型の芝刈機を使用する場合もあるが、家庭の庭等規模の小さな芝生では、手持式の芝刈機が使用されることがある。例えば、本体の前面に水平に突出したバリカン型の刃を設け、この本体の上部に把手部を設け、この把手部を持って使用するものである。
【特許文献１】特開２０００−８３４７５号公報
【発明の開示】
【発明が解決しようとする課題】
【０００３】
しかしながら、この様な芝刈機において、芝刈を行うと、重量の有る芝刈機を手に持って芝を刈るため、芝の高さを均一に揃えて刈ることは難しい。そこで、刈り取る芝の高さを調節して均一に揃えることが出来れば、さらに、使い勝手の良いものと成り、消費者の要求にも答えられ、売り上げの増加にもつながる。
【０００４】
この発明は、この様な状況に鑑みて行われたもので、高さ調整機構を備えた手持式の芝刈機を提供して前記課題を解決するものである。
【課題を解決するための手段】
【０００５】
請求項１の発明は、本体の前部に略水平に突出したバリカン型の刃を設け、当該本体の上部に把手部を設け、当該把手部を持って使用する芝刈機において、本体の刃を、地面又は芝から一定の距離で浮かせるためのスライダーを本体の底部から突出させた手持式の芝刈機とした。
【０００６】
請求項２の発明は、前記スライダーは、本体から着脱自在とした前記請求項１に記載の手持式の芝刈機とした。
【０００７】
請求項３の発明は、前記スライダーは、本体の底部からの突出長を調整自在である前記請求項１に記載の手持式の芝刈機とした。
【０００８】
請求項４の発明は、前記本体の底面に長手方向に開口部を設け、当該本体の開口部を設けた個所の一側面から他側面に向けて、ねじ切りされた軸を水平に渡して、その一端を側面に固定し、当該軸の他端を他側面から突出させ、当該突出した他端にナットを螺着し、当該ナットを回転させて当該本体の開口部の両側部を締め付け及び緩め自在とし、前部は扁平で後部は後方に伸びた脚部を有し、当該脚部は前記開口部に嵌合自在なスライダーを設け、前記開口部に前記スライダーの脚部を差し込み、ナットを締めて前記スライダーを保持した前記請求項３に記載の手持式の芝刈機とした。
【０００９】
請求項５の発明は、前記本体の開口部は、当該本体の後部に設け、前記スライダーは、前部は左右方向に扁平で、後部は後方に伸びかつ上方に折れ曲がり、さらに、上下二股に分かれた脚部から成り、当該脚部を前記開口部に差し込む際、当該脚部の二股に分かれた部分の間の空間に前記軸を差し入れる前記請求項４に記載の手持式の芝刈機とした。
【００１０】
請求項６の発明は、前記スライダーの側面には複数の目盛を設けた前記請求項３、４又は５の何れかに記載の手持式の芝刈機とした。
【発明の効果】
【００１１】
請求項１、２又は３の各発明によれば、本体を支持するスライダーを本体底面に突出させて設けたので、これにより、本体の刃の高さを、簡単に所望の高さにすることが出来、スライダーを地面又は芝に押し付けて本体を作動させることにより芝の高さを均一に刈ることが出来る。
【００１２】
特に、請求項２の発明では、予め突出長の異なるスライダーを用意しておけば、刈る芝の高さに合わせたスライダーを選定して、本体に取り付け、所望の高さに芝を均一に刈ることが出来る。また、請求項３の発明では、スライダーの突出長を調整することにより、所望の高さに芝を均一に刈ることが出来る。
【００１３】
請求項４の発明によれば、本体の開口部を設けた個所の一側面から他側面に向けて、ねじ切りされた軸を水平に渡し、ナットを回転させて本体の開口部の両側部を締め付け及び緩め自在とし、前部は扁平で後部は後方に伸びた脚部を有し、当該脚部は前記開口部に嵌合自在なスライダーを設け、開口部にスライダーの脚部を差し込み、ナットを締めてスライダーを保持したので、本体の開口部の締め付け及び緩めが容易かつ確実に出来、前記突出長の調整が確実に出来、芝刈機として信頼性が高いものである。
【００１４】
請求項５の発明によれば、スライダーは、前部を左右方向に扁平に設けたので、安定感が増し、芝刈機としての操作性が向上する。また、このスライダーの脚部を後方に伸ばしかつ上方に折り曲げて形成したので、スライダーが斜行して本体の開口部から突出することが出来、使い易く、操作性の向上につながる。
【００１５】
さらに、脚部が上下二股に分かれて成り、この脚部を前記開口部に差し込む際、脚部の二股に分かれた部分の間の空間に前記軸を差し入れて行うので、スライダーの出し入れの際、軸に対して二股に分かれた脚部がガイドの役目を成し、このスライダーを極めて簡単かつ円滑に出し入れ出来、使い勝手の向上につながるものである。
【００１６】
請求項６の発明によれば、スライダーの側面には複数の目盛を設けたので、使用者は所望の刃の高さを選択出来、また、１台の芝刈機で複数の高さの芝刈が出来、多様性に富んだ芝刈が出来る。
【発明を実施するための最良の形態】
【００１７】
本体の前部に略水平に突出したバリカン型の刃を設け、当該本体の上部に把手部を設け、当該把手部を持って使用する芝刈機において、本体の刃を、地面又は芝から一定の距離で浮かせるためのスライダーを本体の底部から突出させた。
【００１８】
これにより、スライダーを地面又は芝に押し付けて本体を作動させることにより芝の高さを均一に刈ることが出来る。
【実施例】
【００１９】
以下、この発明の実施例の芝刈機を図に基づいて説明する。図１は、この発明の実施例の手持式の芝刈機の刃の高さを最長にし、芝刈をしている状態の左側面図である。図２は、同芝刈機のスライダーを最奥まで収納した状態の左側面図である。図３は、同芝刈機の平面図である。図４は、同芝刈機の底面図である。
【００２０】
また、図５は、同芝刈機からスライダーを外した状態の底面図である。図６は、同芝刈機の右側面図である。図７は、同芝刈機のスライダーの平面図である。図８は、同左側面図である。
【００２１】
この発明の実施例の芝刈機Ａは、図２、図３及び図４に示す様に、本体１の前面に水平に突出したバリカン型の刃２を設け、この本体１の後部の上部を湾曲した把手部４とし、この把手部４を持ち、この把手部４の下側に設けられたスイッチ５を押して本体１に内蔵されたモータ１０（図５参照）を動かして前記刃２を動作させる手持式の芝刈機である。
【００２２】
前記本体１後部の底面の中央には、図５に示す様に、長手方向に沿って細幅の開口部６を設ける。この開口部６は底面に対して、後方に行くに従って斜上方へ伸びている。この本体１の開口部６を設けた個所の上方であって、本体１の右側面から左側面にかけて、ねじ切りされた軸７を水平に渡してその一端を一側面に固定し、この軸７の他端を他側面から一定長突出させる。この突出した他端にナット８を螺着する。このナット８の外側には、図３、図４、図５及び図６に示す様に、キャップを被せてナット８と一体なつまみ９を設けている。このつまみ９を回して前記本体１の開口部６を締め付け及び緩め自在とする。
【００２３】
続いて、本体１を支持するスライダー１１を説明する。図７及び図８に示す様に、このスライダー１１の前部は左右方向に扁平で、後部は縮幅されて後方に伸び、途中からさらに細幅と成って上方に折れ曲った一定長の前記開口部６に嵌合自在な横幅を有する、板状の脚部１２となっており、この脚部１２は上下二股の上脚部１２ａと下脚部１２ｂに分かれて、上脚部１２ａの方が長くなっている。また、この脚部１２は、前記縮幅部１３から折れ曲がって上方へ伸びる際、この縮幅部１３の中央の一部端縁とこの脚部１２の下脚部１２ｂの下面間を接続して角部１４を設けている。
【００２４】
また、前記縮幅部１３の両側縁を夫々立設して略三角形状の壁部１３ａを形成し、この壁部１３ａの外側には「１５」、「２０」及び「２５」の文字１３ｂを記載している。これらは、この芝刈機Ａを地面等に載置した際の地面からの刃２の高さを示しており、夫々「１５ｍｍ」、「２０ｍｍ」及び「２５ｍｍ」を表している。
【００２５】
また、後述する様に、スライダー１１を開口部６内に差し込んだ時、スライダー１１の扁平部１１ａ（前部の左右方向に扁平な個所及び後部の縮幅部１３）の突出具合、すなわち、地面にこの芝刈機Ａを載置した際の刃２の高さが分かる様に、図１、図２及び図６に示す様に、本体１の両側面の下部であって、前記壁部１３ａの上面と対向する個所に下向き三角形状の矢印１５を設け、その時の地面からの刃２の高さを表示している。
【００２６】
次に、この芝刈機Ａの使用の仕方を説明する。この芝刈機Ａを裏返し、前記つまみ９を緩め、図９に示す様に、前記細幅の開口部６に前記スライダー１１の脚部１２を差し込む。この時、脚部１２の上脚部１２ａと下脚部１２ｂの間の空間１２ｃに前記軸７を入れてこの軸７をガイドにして差し込む。脚部１２を全て開口部６内に差し込んだ場合、脚部１２の下脚部１２ｂによって前記開口部６は完全に閉じられた状態と成る。そして、前記つまみ９を回して締めてスライダー１１を開口部６の両側から挟持して固定する。この時、前記目盛１３ｂは「１５」の位置に有り、この状態をこの芝刈機Ａの基本の状態とする。
【００２７】
この後、刃２の高さを変えたい時には、前記つまみ９を回して本体１の開口部６の両側の締め付けを緩め、スライダー１１の扁平部１１ａの位置を変えるが、この時、例えば、右手で把手部４を持って本体１を裏返すと、左手の親指の腹で前記脚部１２の角部１４を押せば、スライダー１１の脚部１２は簡単に移動し、扁平部１１ａは容易に突出する。所望のところまで扁平部１１ａを突出させた後、つまみ９を締めて固定する。この様にして、随時、スライダー１１の扁平部１１ａの突出具合を変えることにより、地面や芝からの刃２の高さを所望の高さにすることが出来る。図１は、刃２の高さを最長の「２５」の位置にした状態を示すものであり、この状態で芝刈機Ａを地面に載置接触させて芝Ｂを刈る。
【００２８】
前記実施例では、地面から刃２の高さを表すために、本体１の両側面の下部であって、前記壁部１３ａの上面と対向する個所に下向き三角形状の矢印１５を設けているが、刃２の高さを表わす方法はこれに限定するものではない。また、スライダー１１の側面に目盛１３ｂを記載するのに、後部の縮幅部１３の両側縁を夫々立設して略三角形状の壁部１３ａを形成しているが、目盛１３ｂを記載する方法はこれに限らず、壁部１３ａの形状もこれに限定するものではない。
【００２９】
さらに、スライダー１１の目盛１３ａとして、「１５ｍｍ」、「２０ｍｍ」及び「２５ｍｍ」を表す「１５」、「２０」及び「２５」の文字を記載しているが、目盛１３ａはこれらに限定するものでは無く、必要な高さ又は間隔を設定し、記載すれば良い。
【００３０】
また、スライダー１１の扁平部１１ａの前部を左右方向に伸びたものとしたが、扁平部１１ａの前部はこの形状に限るものでは無く、他の形状でももちろん良い。また、扁平部１１ａを前部の左右方向に扁平な個所及び後部の縮幅部１３としたが、扁平部の形状はこれに限るものではなく、縮幅部１３は無くても良い。さらに、スライダー１１の脚部１２の角部１４は無くても良い。また、スライダー１１の形状は、他の形状でも良く、要は、本体の刃を地面又は芝から一定の距離で浮かせるガイド体で有れば良い。
【図面の簡単な説明】
【００３１】
【図１】この発明の実施例の手持式の芝刈機の刃の高さを最長にし、芝刈をしている状態の左側面図である。
【図２】この発明の実施例の手持式の芝刈機のスライダーを最奥まで収納した状態の左側面図である。
【図３】この発明の実施例の手持式の芝刈機の平面図である。
【図４】この発明の実施例の手持式の芝刈機の底面図である。
【図５】この発明の実施例の手持式の芝刈機からスライダーを外した状態の底面図である。
【図６】この発明の実施例の手持式の芝刈機の右側面図である。
【図７】この発明の実施例の手持式の芝刈機のスライダーの平面図である。
【図８】この発明の実施例の手持式の芝刈機のスライダーの左側面図である。
【図９】この発明の実施例の手持式の芝刈機を裏返し、スライダーの脚部を差し込んでいる状態の斜視図である。
【符号の説明】
【００３２】
Ａ    芝刈機                    Ｂ    芝
１    本体                      ２    刃
４    把手部
５    スイッチ                  ６    開口部
７    軸                        ８    ナット
９    つまみ                  １０    モータ
１１    スライダー             １２    脚部
１３    縮幅部                 １３ｂ  目盛
１４    角部                   １５    矢印
【図１】
2012135255.tif 000003
【図２】
2012135255.tif 000004
【図３】
2012135255.tif 000005
【図４】
2012135255.tif 000006
【図５】
2012135255.tif 000007
【図６】
2012135255.tif 000008
【図７】
2012135255.tif 000009
【図８】
2012135255.tif 000010
【図９】
2012135255.tif 000011
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
本体の前部に略水平に突出したバリカン型の刃を設け、当該本体の上部に把手部を設け、当該把手部を持って使用する芝刈機において、
前記本体の底面に長手方向に開口部を設け、当該本体の開口部を設けた個所の一側面から他側面に向けて、ねじ切りされた軸を水平に渡して、その一端を側面に固定し、当該軸の他端を他側面から突出させ、当該突出した他端にナットを螺着し、当該ナットを回転させて当該本体の開口部の両側部を締め付け及び緩め自在とし、
前部は扁平で後部は後方に伸びた脚部を有し、当該脚部は前記開口部に嵌合自在なスライダーを設け、当該スライダーの脚部を前記開口部に差し込み、前記ナットを締めて前記スライダーを前記本体から着脱自在に保持し、
前記スライダーは、前記本体の刃を、地面又は芝から一定の距離で浮かせるために本体の底部から突出させ、かつ、本体の底部からの突出長を調整自在としたことを特徴とする、手持式の芝刈機。
【請求項２】
前記本体の開口部は、当該本体の後部に設け、
前記スライダーは、前部は左右方向に扁平で、後部は後方に伸びかつ上方に折れ曲がり、さらに、上下二股に分かれた脚部から成り、
当該脚部を前記開口部に差し込む際、当該脚部の二股に分かれた部分の間の空間に前記軸を差し入れることを特徴とした、前記請求項１に記載の手持式の芝刈機。
【請求項３】
前記スライダーの側面には複数の目盛を設けたことを特徴とする、前記請求項１又は２の何れかに記載の手持式の芝刈機。
【手続補正２】
【補正対象書類名】明細書
【補正対象項目名】０００５
【補正方法】変更
【補正の内容】
【０００５】
請求項１の発明は、本体の前部に略水平に突出したバリカン型の刃を設け、当該本体の上部に把手部を設け、当該把手部を持って使用する芝刈機において、前記本体の底面に長手方向に開口部を設け、当該本体の開口部を設けた個所の一側面から他側面に向けて、ねじ切りされた軸を水平に渡して、その一端を側面に固定し、当該軸の他端を他側面から突出させ、当該突出した他端にナットを螺着し、当該ナットを回転させて当該本体の開口部の両側部を締め付け及び緩め自在とし、前部は扁平で後部は後方に伸びた脚部を有し、当該脚部は前記開口部に嵌合自在なスライダーを設け、当該スライダーの脚部を前記開口部に差し込み、前記ナットを締めて前記スライダーを前記本体から着脱自在に保持し、前記スライダーは、前記本体の刃を、地面又は芝から一定の距離で浮かせるために本体の底部から突出させ、かつ、本体の底部からの突出長を調整自在とした手持式の芝刈機とした。
【手続補正３】
【補正対象書類名】明細書
【補正対象項目名】０００６
【補正方法】変更
【補正の内容】
【０００６】
請求項２の発明は、前記本体の開口部は、当該本体の後部に設け、前記スライダーは、前部は左右方向に扁平で、後部は後方に伸びかつ上方に折れ曲がり、さらに、上下二股に分かれた脚部から成り、当該脚部を前記開口部に差し込む際、当該脚部の二股に分かれた部分の間の空間に前記軸を差し入れる前記請求項１に記載の手持式の芝刈機とした。
【手続補正４】
【補正対象書類名】明細書
【補正対象項目名】０００７
【補正方法】変更
【補正の内容】
【０００７】
請求項３の発明は、前記スライダーの側面には複数の目盛を設けた前記請求項１又は２の何れかに記載の手持式の芝刈機とした。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１２
【補正方法】変更
【補正の内容】
【００１２】
特に、予め突出長の異なるスライダーを用意しておけば、刈る芝の高さに合わせたスライダーを選定して、本体に取り付け、所望の高さに芝を均一に刈ることが出来る。また、スライダーの突出長を調整することにより、所望の高さに芝を均一に刈ることが出来る。
【手続補正９】
【補正対象書類名】明細書
【補正対象項目名】００１３
【補正方法】変更
【補正の内容】
【００１３】
また、本体の開口部を設けた個所の一側面から他側面に向けて、ねじ切りされた軸を水平に渡し、ナットを回転させて本体の開口部の両側部を締め付け及び緩め自在とし、前部は扁平で後部は後方に伸びた脚部を有し、当該脚部は前記開口部に嵌合自在なスライダーを設け、開口部にスライダーの脚部を差し込み、ナットを締めてスライダーを保持したので、本体の開口部の締め付け及び緩めが容易かつ確実に出来、前記突出長の調整が確実に出来、芝刈機として信頼性が高いものである。
【手続補正１０】
【補正対象書類名】明細書
【補正対象項目名】００１４
【補正方法】変更
【補正の内容】
【００１４】
請求項２の発明によれば、スライダーは、前部を左右方向に扁平に設けたので、安定感が増し、芝刈機としての操作性が向上する。また、このスライダーの脚部を後方に伸ばしかつ上方に折り曲げて形成したので、スライダーが斜行して本体の開口部から突出することが出来、使い易く、操作性の向上につながる。
【手続補正１１】
【補正対象書類名】明細書
【補正対象項目名】００１６
【補正方法】変更
【補正の内容】
【００１６】
請求項３の発明によれば、スライダーの側面には複数の目盛を設けたので、使用者は所望の刃の高さを選択出来、また、１台の芝刈機で複数の高さの芝刈が出来、多様性に富んだ芝刈が出来る。